(57)【要約】【課題】貨幣の種別ごとに回収方法を設定可能な貨幣処理装置を提供する。【解決手段】実施形態の貨幣処理装置１００は、筐体１と、筐体１内に貨幣を受け入れる受入部２と、受入部２により受け入れられた貨幣を搬送する搬送部３と、搬送部３により搬送される貨幣の種別を識別する識別部４と、搬送部３により搬送された貨幣を収納する複数の収納部５ａ〜５ｅと、回収すべき貨幣を収納する回収部８と、識別部４により識別された貨幣の種別ごとに貨幣回収方法を設定する回収方法設定部６と、収納部５ａ〜５ｅに収納された貨幣が回収方法設定部６により設定された貨幣回収方法に従って回収されるように搬送部３を制御する制御部７とを備える。【選択図】図３
2016149004.tif 000002
【特許請求の範囲】
【請求項１】
筐体と、
前記筐体内に貨幣を受け入れる受入部と、
前記受入部により受け入れられた貨幣を搬送する搬送部と、
前記搬送部により搬送される貨幣の種別を識別する識別部と、
前記搬送部により搬送された貨幣を収納する複数の収納部と、
回収すべき貨幣を収納する回収部と、
前記識別部により識別された貨幣の種別ごとに貨幣回収方法を設定する回収方法設定部と、
前記収納部に収納された貨幣が前記回収方法設定部により設定された貨幣回収方法に従って回収されるように前記搬送部を制御する制御部と、
を備えることを特徴とする貨幣処理装置。
【請求項２】
前記種別は通貨の種類であることを特徴とする請求項１に記載の貨幣処理装置。
【請求項３】
前記通貨の種類は、自国通貨と他国通貨であることを特徴とする請求項２に記載の貨幣処理装置。
【請求項４】
前記回収方法設定部は、前記貨幣回収方法を設定することにより、前記回収部を前記筐体の内部に順次取り付けて通貨ごとに貨幣を回収する交換回収、前記回収部に複数の通貨を混合状態で回収する混合回収、および、操作者に前記交換回収もしくは前記混合回収を選択させる選択回収のうちいずれか一つを指定することを特徴とする請求項２に記載の貨幣処理装置。
【請求項５】
前記回収方法設定部は、自国通貨に対しては、前記回収部に貨幣を回収する貨幣回収方法を設定し、他国通貨に対しては、前記回収部に貨幣を回収する第１の貨幣回収方法、または、前記収納部に収納された貨幣を前記筐体の外部に投出する投出部に貨幣を回収する第２の貨幣回収方法を設定することを特徴とする請求項２に記載の貨幣処理装置。
【請求項６】
前記回収方法設定部は、前記貨幣回収方法を設定することにより前記収納部に収納された貨幣の回収先を指定可能であることを特徴とする請求項１または２に記載の貨幣処理装置。
【請求項７】
前記回収先は、前記回収部、または、前記収納部に収納された貨幣を前記筐体の外部に投出する投出部であることを特徴とする請求項６に記載の貨幣処理装置。
【請求項８】
前記回収方法設定部は、前記貨幣回収方法を設定することにより前記複数の収納部に収納された貨幣の回収順序を指定可能であることを特徴とする請求項１に記載の貨幣処理装置。
【請求項９】
前記種別は通貨の種類であり、
前記回収方法設定部は、所定の回収先に複数の通貨の貨幣が回収される場合、通貨ごとに前記所定の回収先への回収順序を指定可能であることを特徴とする請求項８に記載の貨幣処理装置。
【請求項１０】
前記制御部は、自国通貨が前記所定の回収先に回収された後に他国通貨が前記所定の回収先に回収されるように前記搬送部を制御することを特徴とする請求項９に記載の貨幣処理装置。
【請求項１１】
前記回収方法設定部は、所定の回収先に複数の種別の貨幣が回収される場合、前記種別ごとに前記所定の回収先への回収順序を指定可能であることを特徴とする請求項８に記載の貨幣処理装置。
【請求項１２】
前記回収方法設定部は、前記貨幣回収方法を設定することにより、前記回収部を前記筐体の内部に順次取り付けて貨幣の種別ごとに貨幣を回収する交換回収、前記回収部に複数の種別の貨幣を混合状態で回収する混合回収、および、操作者に前記交換回収もしくは前記混合回収を選択させる選択回収のうちいずれか一つを指定することを特徴とする請求項１に記載の貨幣処理装置。
【請求項１３】
前記回収部は収納袋またはカセット式金箱を有し、前記収納袋または前記カセット式金箱は前記筐体に着脱可能であることを特徴とする請求項１に記載の貨幣処理装置。
【請求項１４】
前記収納袋および前記カセット式金箱の数は、前記貨幣の種別の数よりも少ないことを特徴とする請求項１３に記載の貨幣処理装置。
【請求項１５】
貨幣の回収は、前記筐体内の全ての貨幣を回収する全回収、または、前記筐体内の一部の貨幣を残置する残置回収であることを特徴とする請求項１に記載の貨幣処理装置。
【請求項１６】
外部の情報処理装置から設定情報を受信する通信部をさらに備え、
前記回収方法設定部は、前記設定情報に基づいて前記貨幣回収方法を設定することを特徴とする請求項１に記載の貨幣処理装置。
【請求項１７】
操作者から入力された貨幣回収パターン番号に基づいて前記貨幣回収方法を把握する解釈部をさらに備え、
前記回収方法設定部は、前記解釈部により把握された貨幣回収方法に従って貨幣回収方法を設定することを特徴とする請求項１に記載の貨幣処理装置。
【請求項１８】
筐体と、
前記筐体内に貨幣を受け入れる受入部と、
前記受入部により受け入れられた貨幣を搬送する搬送部と、
前記搬送部により搬送される貨幣の種別を識別する識別部と、
前記搬送部により搬送された貨幣を収納する複数の収納部と、
回収すべき貨幣を収納する回収部と、
前記収納部ごとに貨幣回収方法を設定する回収方法設定部と、
前記収納部に収納された貨幣が前記回収方法設定部により設定された貨幣回収方法に従って回収されるように前記搬送部を制御する制御部と、
を備えることを特徴とする貨幣処理装置。
【請求項１９】
筐体と、前記筐体内に貨幣を受け入れる受入部と、前記受入部により受け入れられた貨幣を搬送する搬送部と、前記搬送部により搬送される貨幣の種別を識別する識別部と、前記搬送部により搬送された貨幣を収納する複数の収納部と、回収すべき貨幣を収納する回収部とを備える貨幣処理装置による貨幣処理方法であって、
回収方法設定部が、前記識別部により識別された貨幣の種別ごとに貨幣回収方法を設定するステップと、
制御部が、前記収納部に収納された貨幣が前記貨幣回収方法に従って回収されるように前記搬送部を制御するステップと、
を備えることを特徴とする貨幣処理方法。
【発明の詳細な説明】
【技術分野】
【０００１】
本発明は、貨幣処理装置、より詳しくは、通貨単位等の貨幣の種別ごとに回収方法を設定可能な貨幣処理装置および貨幣処理方法に関する。
【背景技術】
【０００２】
従来、金融機関や流通機関等で用いられる貨幣処理装置は、入金された貨幣を識別し、識別した貨幣を分類している。例えば、特許文献１の貨幣処理装置は、入金された紙幣が真券であるか偽券であるかを識別し、同一の回収カセットに回収される偽券および真券をセパレータカードで区切っている。これにより、複数の回収カセットが不要となり、貨幣を効率的に収納することが可能である。
【先行技術文献】
【特許文献】
【０００３】
【特許文献１】国際公開第２０１１／１１４４９０号パンフレット
【発明の概要】
【発明が解決しようとする課題】
【０００４】
しかしながら、貨幣の回収方法に対する顧客の要望は様々である。例えば、回収カセットではなく別の手段で偽券を回収することを希望する顧客もいる。このような顧客にとっては、セパレータカードによる回収紙幣の区切り機能は不要である。むしろ当該機能のために、貨幣処理装置が大型化し、装置コストが高くなることがデメリットとなる。
【０００５】
また、真券／偽券以外の区別により貨幣を回収することを望む顧客もいる。例えば、複数種類の通貨を扱う貨幣処理装置（いわゆるマルチ通貨対応の貨幣処理装置）に対しては、通貨ごとに区別して回収したいという要望がある。一方、顧客や使用地域によっては、複数種類の通貨を混合状態で回収することが望まれる場合もある。
【０００６】
本発明は、上記の点に鑑みてなされたものであり、その目的は、貨幣の種別ごとに回収方法を設定可能な貨幣処理装置を提供することである。
【課題を解決するための手段】
【０００７】
本発明に係る貨幣処理装置は、
筐体と、
前記筐体内に貨幣を受け入れる受入部と、
前記受入部により受け入れられた貨幣を搬送する搬送部と、
前記搬送部により搬送される貨幣の種別を識別する識別部と、
前記搬送部により搬送された貨幣を収納する複数の収納部と、
回収すべき貨幣を収納する回収部と、
前記識別部により識別された貨幣の種別ごとに貨幣回収方法を設定する回収方法設定部と、
前記収納部に収納された貨幣が前記回収方法設定部により設定された貨幣回収方法に従って回収されるように前記搬送部を制御する制御部と、
を備えることを特徴とする。
【０００８】
また、前記貨幣処理装置において、
前記種別は通貨の種類であるようにしてもよい。
【０００９】
また、前記貨幣処理装置において、
前記通貨の種類は、自国通貨と他国通貨であるようにしてもよい。
【００１０】
また、前記貨幣処理装置において、
前記回収方法設定部は、前記貨幣回収方法を設定することにより、前記回収部を前記筐体の内部に順次取り付けて通貨ごとに貨幣を回収する交換回収、前記回収部に複数の通貨を混合状態で回収する混合回収、および、操作者に前記交換回収もしくは前記混合回収を選択させる選択回収のうちいずれか一つを指定するようにしてもよい。
【００１１】
また、前記貨幣処理装置において、
前記回収方法設定部は、自国通貨に対しては、前記回収部に貨幣を回収する貨幣回収方法を設定し、他国通貨に対しては、前記回収部に貨幣を回収する第１の貨幣回収方法、または、前記収納部に収納された貨幣を前記筐体の外部に投出する投出部に貨幣を回収する第２の貨幣回収方法を設定するようにしてもよい。
【００１２】
また、前記貨幣処理装置において、
前記回収方法設定部は、前記貨幣回収方法を設定することにより前記収納部に収納された貨幣の回収先を指定可能であるようにしてもよい。
【００１３】
また、前記貨幣処理装置において、
前記回収先は、前記回収部、または、前記収納部に収納された貨幣を前記筐体の外部に投出する投出部であるようにしてもよい。
【００１４】
また、前記貨幣処理装置において、
前記回収方法設定部は、前記貨幣回収方法を設定することにより前記複数の収納部に収納された貨幣の回収順序を指定可能であるようにしてもよい。
【００１５】
また、前記貨幣処理装置において、
前記種別は通貨の種類であり、
前記回収方法設定部は、所定の回収先に複数の通貨の貨幣が回収される場合、通貨ごとに前記所定の回収先への回収順序を指定可能であるようにしてもよい。
【００１６】
また、前記貨幣処理装置において、
前記制御部は、自国通貨が前記所定の回収先に回収された後に他国通貨が前記所定の回収先に回収されるように前記搬送部を制御するようにしてもよい。
【００１７】
また、前記貨幣処理装置において、
前記回収方法設定部は、所定の回収先に複数の種別の貨幣が回収される場合、前記種別ごとに前記所定の回収先への回収順序を指定可能であるようにしてもよい。
【００１８】
また、前記貨幣処理装置において、
前記回収方法設定部は、前記貨幣回収方法を設定することにより、前記回収部を前記筐体の内部に順次取り付けて貨幣の種別ごとに貨幣を回収する交換回収、前記回収部に複数の種別の貨幣を混合状態で回収する混合回収、および、操作者に前記交換回収もしくは前記混合回収を選択させる選択回収のうちいずれか一つを指定するようにしてもよい。
【００１９】
また、前記貨幣処理装置において、
前記回収部は収納袋またはカセット式金箱を有し、前記収納袋または前記カセット式金箱は前記筐体に着脱可能であるようにしてもよい。
【００２０】
また、前記貨幣処理装置において、
前記収納袋および前記カセット式金箱の数は、前記貨幣の種別の数よりも少ないようにしてもよい。
【００２１】
また、前記貨幣処理装置において、
貨幣の回収は、前記筐体内の全ての貨幣を回収する全回収、または、前記筐体内の一部の貨幣を残置する残置回収であるようにしてもよい。
【００２２】
また、前記貨幣処理装置において、
外部の情報処理装置から設定情報を受信する通信部をさらに備え、
前記回収方法設定部は、前記設定情報に基づいて前記貨幣回収方法を設定するようにしてもよい。
【００２３】
また、前記貨幣処理装置において、
操作者から入力された貨幣回収パターン番号に基づいて前記貨幣回収方法を把握する解釈部をさらに備え、
前記回収方法設定部は、前記解釈部により把握された貨幣回収方法に従って貨幣回収方法を設定するようにしてもよい。
【００２４】
本発明に係る貨幣処理装置は、
筐体と、
前記筐体内に貨幣を受け入れる受入部と、
前記受入部により受け入れられた貨幣を搬送する搬送部と、
前記搬送部により搬送される貨幣の種別を識別する識別部と、
前記搬送部により搬送された貨幣を収納する複数の収納部と、
回収すべき貨幣を収納する回収部と、
前記収納部ごとに貨幣回収方法を設定する回収方法設定部と、
前記収納部に収納された貨幣が前記回収方法設定部により設定された貨幣回収方法に従って回収されるように前記搬送部を制御する制御部と、
を備えることを特徴とする。
【００２５】
本発明に係る貨幣処理方法は、
筐体と、前記筐体内に貨幣を受け入れる受入部と、前記受入部により受け入れられた貨幣を搬送する搬送部と、前記搬送部により搬送される貨幣の種別を識別する識別部と、前記搬送部により搬送された貨幣を収納する複数の収納部と、回収すべき貨幣を収納する回収部とを備える貨幣処理装置による貨幣処理方法であって、
回収方法設定部が、前記識別部により識別された貨幣の種別ごとに貨幣回収方法を設定するステップと、
制御部が、前記収納部に収納された貨幣が前記貨幣回収方法に従って回収されるように前記搬送部を制御するステップと、
を備えることを特徴とする。
【発明の効果】
【００２６】
本発明では、回収方法設定部が、識別部により識別された貨幣の種別ごとに貨幣回収方法を設定するため、貨幣の種別ごとに回収方法を設定可能な貨幣処理装置を提供することができる。
【図面の簡単な説明】
【００２７】
【図１】実施形態に係る貨幣処理装置１００の外観斜視図である。
【図２】実施形態に係る貨幣処理装置１００の内部構成図である。
【図３】実施形態に係る貨幣処理装置１００の機能ブロック図である。
【図４】操作者が貨幣回収方法を指示するための画面の第１の例を示す図である。
【図５】操作者が回収先を指示するための画面の一例を示す図である。
【図６】操作者が回収区分を指示するための画面の一例を示す図である。
【図７】操作者が回収順序を指示するための画面の一例を示す図である。
【図８】操作者が貨幣回収方法を指示するための画面の第２の例を示す図である。
【図９】交換回収を行う場合の回収処理の一例を説明するための図である。
【図１０】交換回収を行う場合の回収処理の一例を説明するためのフローチャートである。
【図１１】混合回収を行う場合の回収処理の一例を説明するための図である。
【図１２】選択回収の際に、操作者に回収区分を選択させるための画面の一例を示す図である。
【図１３】回収先が異なる場合の回収処理の一例を説明するための図である。
【図１４】貨幣回収パターンリストの一例を示す図である。
【図１５】各収納部の設定状況の一覧を示す画面の一例を示す図である。
【図１６】収納部の設定画面の一例を示す図である。
【発明を実施するための形態】
【００２８】
以下、本発明に係る実施形態について図面を参照しながら説明する。
【００２９】
＜貨幣処理装置１００の構成＞
本発明の実施形態に係る貨幣処理装置１００について、図１〜図３を参照して説明する。図１は、実施形態に係る貨幣処理装置１００の外観斜視図である。図２は、貨幣処理装置１００の内部構成図である。図３は、貨幣処理装置１００の機能ブロック図である。なお、本実施形態で説明する貨幣処理装置１００は紙幣処理装置であるが、本発明に係る貨幣処理装置はこれに限らず、硬貨処理装置であってもよい。
【００３０】
貨幣処理装置１００は、入金機能、出金機能、装填（補充）機能および回収機能を有する。入金機能は、顧客から受け取った貨幣を装置内に収納するための機能である。出金機能は、顧客に貨幣を渡すために、装置内の貨幣を投出部（出金口）から出金するための機能である。装填機能は、貨幣処理装置１００に貨幣を補充するための機能である。回収機能は、装置内の貨幣の在高を適切に維持するために、装置内の貨幣を装置外に回収するための機能である。なお、貨幣の回収には、装置（後述の筐体１）内の全ての貨幣を回収する全回収と、装置内の一部の貨幣を残置しそれ以外の貨幣を回収する残置回収とがある。
【００３１】
貨幣処理装置１００は、図１〜図３に示すように、筐体１と、受入部２と、搬送部３と、識別部４と、収納部５ａ，５ｂ，５ｃ，５ｄ，５ｅと、回収方法設定部６と、制御部７と、回収部８と、投出部９と、入力部１０と、通信部１１と、記憶部１２と、解釈部１３とを備えている。以下、各構成要素について説明する。
【００３２】
受入部２は、筐体１内に貨幣を受け入れるように構成されている。この受入部２は、図１および図２に示すように、紙幣を繰出可能な紙幣繰出ユニット２ａを有する。この紙幣繰出ユニット２ａは、外部から紙幣を受け入れて１枚ずつ繰出す紙幣受入ユニットである。なお、紙幣繰出ユニットは、紙幣を内部に収容し、収納した紙幣を繰出す紙幣カセットでもよい。
【００３３】
搬送部３は、受入部２により受け入れられた貨幣を搬送するように構成されている。より詳しくは、紙幣操出ユニット２ａから繰り出され、筐体１内に受け入れた紙幣を所定の搬送先に搬送する。例えば、搬送部３は、収納部５ａ〜５ｅ、機外リジェクト部３１、または機内リジェクト部３２等に紙幣を搬送する。また、搬送部３は、収納部５ａ〜５ｅに収納された紙幣を、投出部９または回収集積部３３（回収部８）等に搬送する。
【００３４】
識別部４は、各種センサ（磁気センサ、蛍光センサ、金属スレッドセンサ、厚みセンサ、イメージセンサ等）を備え、搬送部３により搬送される貨幣の種別を識別するように構成されている。ここで、貨幣の「種別」は、通貨の種類、金種、真偽、新旧（新券／旧券）、正損（正券／損券）等である。通貨の種類は、例えば、円、米ドル、ユーロ、英ポンド等の通貨単位である。なお、通貨の種類は、自国通貨と他国通貨（例えば、ユーロとそれ以外の通貨）であってもよい。
【００３５】
ユーロ紙幣の場合、紙幣の種別は「カテゴリ」であってもよい。このカテゴリは、ユーロ紙幣をその性質によって分類したときの区分けである。欧州中央銀行（ＥＣＢ）で定義された５つの区分けによれば、紙幣は、所定の紙幣処理装置の識別能力の範囲で本物か、偽物かで２つに分類され、前者を真券、後者を偽券と呼ぶ。そして、真券は、損傷の度合いでさらに２つに分類され、使用に支障のないものを正券、損傷が著しく使用に支障をきたすものを損券と呼ぶ。よって、５つの区分けは、真券かつ正券と、真券かつ損券と、偽券と、紙幣処理装置により真券とは明確に判断できない真偽不確定券と、リジェクト券とからなる。
【００３６】
収納部５ａ〜５ｅは、搬送部３により搬送された貨幣を収納する。例えば、収納部５ａ〜５ｅは、識別部４により識別された紙幣を金種ごとに収納する。収納部５ａ〜５ｅは、収納した紙幣を１枚ずつ繰出すことが可能に構成されている。繰り出された紙幣は、搬送部３により回収部８、投出部９等に搬送される。
【００３７】
なお、収納部５ａ〜５ｅのうち少なくともいずれか一つを、紙幣を回収するために用いてもよい。例えば、収納部５ｅを回収部８のオーバーフロー用としてもよい。この場合、回収部８が一杯になると、それ以降に回収する紙幣は収納部５ｅに搬送され、収納される。
【００３８】
回収部８は、回収すべき貨幣を収納する。より詳しくは、回収部８は、収納部５ａ〜５ｅに収納された貨幣を回収する。この回収部８は、図２に示すように、取付け部８ａと収納袋（パウチ）８ｂとを有する。取付け部８ａは、固定ピン等により、収納袋８ｂを取り付け可能に構成されている。収納袋８ｂは、柔軟であり且つ密封可能な収納袋である。この収納袋８ｂは、ビニールや布等の柔らかい材料からなり、収納した貨幣の量に応じて小さく折り畳むことができる。
【００３９】
なお、回収部８は、収納袋８ｂに代えて、カセット式金箱（図示せず）を有してもよい。このカセット式金箱は、収納した紙幣を繰出可能なリサイクルタイプでもよいし、収納した紙幣を繰り出すことができない収納専用タイプでもよい。
【００４０】
収納袋８ｂ（またはカセット式金箱）は、取付け部８ａを介して筐体１に着脱可能である。また、回収すべき貨幣を収納するために、回収部８は、筐体１内に載置されるボックス、または、筐体１に摺動可能に取り付けられた引き出しを有してもよい。
【００４１】
また、回収部８は、複数の収納袋８ｂ（または複数のカセット式金箱）を有してもよい。この場合、回収部８が有する収納袋８ｂ（またはカセット式金箱）の数は、識別部４により識別される貨幣の種別の数よりも少ない。なお、回収部８が収納袋とカセット式金箱の両方を有する場合は、それらの数の総数が貨幣の種別の数よりも少ない。よって、後ほど詳しく説明するように、貨幣の種別ごとに回収方法を設定する必要がある。
【００４２】
投出部９は、図１および図２に示すように、収納部５ａ〜５ｅに収納された貨幣を筐体１の外部に投出するように構成されている。
【００４３】
入力部１０は、操作者の指示を受け付けるように構成されている。例えば、入力部１０は、図１に示すように、筐体１に取り付けられたタッチパネルであり、操作者の指示を受け付けるとともに、各種メッセージや貨幣処理の結果等を表示する。なお、入力部１０は、タッチパネルに限らず、ボタン類、キーボード、カードリーダ等であってもよい。
【００４４】
通信部１１は、外部の情報処理装置と通信を行うために設けられている。この情報処理装置は、例えば、貨幣処理装置１００の管理装置、チェックアウトカウンター等に配置される貨幣精算装置である。通信部１１は、外部の情報処理装置から、回収方法設定部６（後述）が貨幣回収方法を設定するために用いる設定情報を受信するように構成されている。
【００４５】
記憶部１２は、貨幣処理装置１００を制御する各種プログラムおよびデータを格納する不揮発性メモリ（ＲＯＭ、ＨＤＤ、ＳＳＤ等）と、プログラムのロード領域やプログラム実行時における作業領域となる揮発性メモリ（ＲＡＭ等）を含む。
【００４６】
なお、記憶部１２は、収納部５ａ〜５ｅおよび回収部８に収納されている貨幣に関する情報（金種、正損別の数量等）を記憶してもよい。また、記憶部１２は、貨幣処理装置１００が行った処理内容を記憶してもよい。処理内容は、処理日時、処理内容、貨幣の搬送先、処理した貨幣の金種や正損別の枚数、操作者ＩＤ等である。
【００４７】
解釈部１３は、入力部１０を介して操作者から入力された貨幣回収パターン番号に基づいて、貨幣回収方法を把握する。より詳しくは、解釈部１３は、記憶部１２に記憶された貨幣回収パターンリスト（後述）を参照して、貨幣回収パターン番号から回収方法の詳細（回収先、回収区分、回収順序）を把握して、回収方法設定部６に通知する。
【００４８】
回収方法設定部６は、識別部４により識別された貨幣の種別ごとに貨幣回収方法を設定する。ここで、「貨幣回収方法」とは、収納部５ａ〜５ｅに収納された貨幣を回収する方法をいい、具体的には、貨幣の回収先、回収区分、回収順序を指す。回収先は、本実施形態では、回収部８（収納袋８ｂ）または投出部９である。
【００４９】
回収区分は、交換回収、混合回収または選択回収である。「交換回収」では、回収部８（収納袋８ｂ）を筐体１の内部に順次取り付けて貨幣の種別ごとに貨幣を回収する。例えば貨幣の種別が通貨（自国通貨／他国通貨）である場合、以下のようにする。まず、貨幣処理装置１００が自国通貨を第１の収納袋に回収した後、操作者は第１の収納袋を筐体１から取り出す。次に、操作者が新たな第２の収納袋を筐体１内に取り付けると、貨幣処理装置１００は他国通貨を第２の収納袋に回収する。その後、操作者は第２の収納袋を筐体１から取り出し、新たな第３の収納袋を筐体１内に取り付ける。
【００５０】
「混合回収」では、回収部８（または投出部９）に複数の種別の貨幣を混合状態で回収する。「選択回収」では、回収を行う際に操作者に交換回収および混合回収のうちいずれか一つを選択させる。
【００５１】
回収方法設定部６は、貨幣回収方法を設定することにより、貨幣の回収先、回収区分および回収順序のうち少なくともいずれか一つを指定することが可能である。例えば、回収方法設定部６は、回収先として、回収部８または投出部９を指定する。また、回収方法設定部６は、回収区分として、交換回収、混合回収または選択回収を指定する。また、回収方法設定部６は、回収順序として、回収番号（何番目に回収されるか示す番号）を指定する。
【００５２】
回収方法設定部６は、所定の回収先に複数の種別の貨幣が回収される場合、種別ごとに所定の回収先への回収順序を指定可能である。貨幣の種別が通貨の場合、回収方法設定部６は、通貨ごとに所定の回収先への回収順序を指定することが可能である。例えば、自国通貨が所定の回収先（投出部９等）に回収された後に他国通貨が所定の回収先に回収されるようにする。この場合、制御部７は、自国通貨が所定の回収先に回収された後に他国通貨が所定の回収先に回収されるように搬送部３を制御する。
【００５３】
回収方法設定部６は、入力部１０を介して受け付けた操作者の指示に基づいて、貨幣回収方法を設定する。なお、回収方法設定部６は、通信部１１が受信した設定情報に基づいて貨幣回収方法を設定してもよい。この設定情報は、回収先、回収区分および回収順序のうち少なくともいずれか一つを設定するための情報を含む。
【００５４】
制御部７は、記憶部１２に記憶されたプログラムを実行して貨幣処理装置１００の全体を制御するように構成されている。この制御部７は、収納部５ａ〜５ｅに収納された貨幣が、回収方法設定部６により設定された貨幣回収方法に従って回収されるように搬送部３を制御する。
【００５５】
なお、制御部７が所定のプログラムを実行することにより、回収方法設定部６を実現してもよい。
【００５６】
次に、図４〜図８を参照して、操作者が貨幣回収方法を指示するために入力部１０に表示される画面例について説明する。なお、これらの画面例は、貨幣の種別が自国通貨および他国通貨の２種類の通貨の場合を示している。
【００５７】
操作者がメインメニューから回収方法の設定ボタンをクリックすると、図４に示す画面が表示される。この画面で操作者がボタンＢ１をクリックすると、図５の画面が表示される。この画面で操作者は、自国通貨および他国通貨の回収先を入力する。図５の例では、ラジオボタンにより、自国通貨および他国通貨の回収先はともに回収部８に設定されている。
【００５８】
なお、回収処理を行う際、入力部１０が図５の画面の全部または一部を表示するようにしてもよい。例えば、回収処理を行う際、入力部１０は図５の画面のうち他国通貨の部分のみを表示する。これにより、回収を行う際、操作者は、回収の都度、他国通貨の回収先として回収部および投出部のうちいずれか一つを選択することができる。
【００５９】
次に、図４の画面で操作者がボタンＢ２をクリックすると、図６の画面が表示される。この画面で操作者は、回収区分を入力する。図６の例では、ラジオボタンにより、回収区分は交換回収に設定されている。なお、操作者に提示される回収区分の選択肢は、交換回収、混合回収および選択回収の３つ全てに限らず、より一般には、交換回収、混合回収および選択回収のうち少なくともいずれか２つである。
【００６０】
次に、図４の画面で操作者がボタンＢ３をクリックすると、図７の画面が表示される。この画面で操作者は、回収順序を入力する。図７の例では、テキスト入力により、自国通貨の回収順序が１番目に、他国通貨の回収順序が２番目にそれぞれ設定されている。
【００６１】
なお、上記の画面例は一例に過ぎず、例えば、図８に示すように、回収先、回収区分および回収順序を一つの画面で入力するようにしてもよい。また、自国通貨と他国通貨の回収先が異なる場合は、回収区分の３つのラジオボタンを選択できないようにグレーアウトしてもよい。
【００６２】
次に、上記の貨幣処理装置１００による回収処理に係る４つの実施例について説明する。いずれの実施例においても、ユーロを自国通貨とし、それ以外の通貨を外国通貨としている。
【００６３】
＜実施例１＞
実施例１について図９および図１０を参照して説明する。本実施例は、自国通貨と他国通貨の回収先がともに回収部８に設定され、回収区分が交換回収に設定され、自国通貨の回収番号が１に設定され、他国通貨の回収番号が２に設定された場合の回収処理の例である。
【００６４】
図９に示すように、回収前において収納部５ａ，５ｂ，５ｃ，５ｄおよび５ｅには、５ユーロ（ＥＵＲ５）、１０ユーロ（ＥＵＲ１０）、２０ユーロ（ＥＵＲ２０）、米ドル（ＵＳＤ）および英ポンド（ＧＢＰ）がそれぞれ収納されている。
【００６５】
まず、制御部７は、操作者により回収ボタンがクリックされたかどうかを判定する（ステップＳ１１）。回収ボタンは、例えば、タッチパネルの入力部１０に表示されたボタンである。なお、回収ボタンは、筐体１に設けられたボタンであってもよいし、あるいは、通信部１１を介して貨幣処理装置１００に通信可能に接続された外部の情報処理装置に表示されたボタンであってもよい。
【００６６】
回収ボタンがクリックされた場合（Ｓ１１：Ｙｅｓ）、制御部７は、自国通貨を収納袋８ｂ（パウチＡ）に回収する（ステップＳ１２）。より詳しくは、制御部７は、収納部５ａ，５ｂ，５ｃに収納されたユーロ紙幣が収納袋８ｂに回収されるように搬送部３を制御する。
【００６７】
そして、自国通貨であるユーロ紙幣の回収が完了すると、入力部１０は収納袋８ｂを交換するよう操作者に促すメッセージ（例えば「パウチを交換して下さい。」）を表示する（ステップＳ１３）。なお、本ステップにおいて、パウチの交換方法を説明する画面を表示してもよい。
【００６８】
メッセージの表示後、制御部７は、新たな収納袋が取り付けられたかどうかを判定する（ステップＳ１４）。この判定は、例えば、操作者が回収部８にアクセスするための筐体１の扉が開閉されたことを検出することにより行う。あるいは、取付け部８ａに設けられたセンサにより、収納部８ｂが着脱されたことを検出することにより判定を行ってもよい。あるいは、入力部１０に収納部の交換完了ボタンを表示し、操作者がそのボタンをクリックしたことを以て、新たな収納袋が取り付けられたと判定してもよい。
【００６９】
新たな収納袋が取り付けられたと判定した場合（Ｓ１４：Ｙｅｓ）、制御部７は、他国通貨である米ドル紙幣と英ポンド紙幣を新たな収納袋（パウチＢ）に回収する（ステップＳ１５）。
【００７０】
そして、他国通貨である米ドル紙幣と英ポンド紙幣の回収が完了すると、入力部１０は収納袋８ｂを交換するよう操作者に促すメッセージ（例えば「パウチを交換して下さい。」）を表示する（ステップＳ１６）。
【００７１】
メッセージの表示後、制御部７は、新たな収納袋が取り付けられたかどうかを判定する（ステップＳ１７）。
【００７２】
上記のように、実施例１では、自国通貨がパウチＡに回収され、他国通貨がパウチＢに回収される。前述のようにパウチは柔軟であるため、他国通貨（または自国通貨）が少量であっても、パウチを小さく折りたたむことができる。よって、カセット式金箱のように収納量によらずに一定の体積を占めることが回避され、貨幣搬送の手間およびコストを削減することができる。さらに、パウチは密封可能であるため、貨幣の不正抜き取りを防ぐことができる。また、パウチは一度開封されると開封の証拠が残るため、不正開封も防止することができる。
【００７３】
＜実施例２＞
次に、実施例２について図１１を参照して説明する。実施例２と実施例１の相違点は、回収区分が混合回収に設定されている点である。なお、回収前の各通貨の収納状況は、図１１に示すように、実施例１と同じである。
【００７４】
回収ボタンがクリックされると、制御部７は、実施例１の場合と同様、自国通貨をパウチＡに回収する。そして、自国通貨であるユーロ紙幣の回収が完了すると、制御部７は、他国通貨である米ドル紙幣と英ポンド紙幣を同じパウチＡに回収する。
【００７５】
＜実施例３＞
次に、実施例３について図１２を参照して説明する。本実施例は、実施例３と実施例１の相違点は、回収区分が選択回収に設定されている点である。なお、回収前の各通貨の収納状況は、実施例１と同じである。
【００７６】
本実施例では、回収ボタンがクリックされると、図１２に示す画面が入力部１０に表示される。ここで、操作者は、交換回収を行うか、混合回収を行うかを選択する。操作者が交換回収を選択した場合、実施例１で説明したステップＳ１２以降のステップが実行される。一方、操作者が混合回収を選択した場合、実施例２で説明した回収処理が実行される。このように、操作者に回収区分を選択させることで、例えば、顧客や警送会社の要求（混合回収の可否）に対して柔軟に対応することができる。
【００７７】
＜実施例４＞
実施例４について図１３を参照して説明する。本実施例は、自国通貨の回収先が回収部８に設定され、他国通貨の回収先が投出部９に設定され、自国通貨の回収番号が１に設定され、他国通貨の回収番号が２に設定された場合の回収処理の例である。なお、回収前の各通貨の収納状況は、図１３に示すように、実施例１と同じである。
【００７８】
回収ボタンがクリックされると、制御部７は、自国通貨を回収部８に回収する。そして、自国通貨であるユーロ紙幣の回収が完了すると、制御部７は、他国通貨である米ドル紙幣と英ポンド紙幣を投出部９に回収（投出）する。
【００７９】
＜パターン番号による貨幣回収方法の設定＞
次に、解釈部１３を用いた、貨幣回収方法の設定について説明する。図１４は、貨幣回収パターンリストの一例を示している。この貨幣回収パターンリストは、記憶部１２に記憶されている。なお、貨幣回収パターンリストは、貨幣処理装置１００に通信可能に接続された外部の情報処理装置の記憶部に記憶され、通信部１１を介して取得されてもよい。
【００８０】
解釈部１３は、前述したように、操作者から入力された貨幣回収パターン番号に基づいて貨幣回収方法を把握する。例えば、操作者が入力部１０を介してパターン番号（パターンＮｏ．）１を入力した場合、解釈部１３は、貨幣回収パターンリストを参照することにより、自国通貨と他国通貨の回収先がいずれも回収部８であること、回収区分が交換回収であること、自国通貨の回収番号が１であること、および他国通貨の回収番号が２であることを把握する。そして、解釈部１３は、把握した貨幣回収方法を回収方法設定部６に通知する。回収方法設定部６は、解釈部１３からの通知内容に従って、貨幣の種別ごとに貨幣回収方法を設定する。
【００８１】
なお、図１４の貨幣回収パターンリストでは、パターン番号１は、前述の実施例１に対応する貨幣回収方法を示す。パターン番号２は、パターン番号１と回収順序が異なり、他国通貨を回収した後、自国通貨を回収する。また、パターン番号３は、前述の実施例２に対応する貨幣回収方法を示す。パターン番号４は、パターン番号３と回収順序が異なる。また、パターン番号５は、前述の実施例３に対応する貨幣回収方法を示す。パターン番号６は、パターン番号５と回収順序が異なる。
【００８２】
パターン番号７は、前述の実施例４に対応する貨幣回収方法を示す。パターン番号８は、自国通貨の回収先が投出部９であり、他国通貨の回収先が回収部８である。
【００８３】
パターン番号９は、自国通貨の回収先が固定（回収部８）であり、他国通貨の回収先が回収の都度、選択可能（回収部８または投出部９）な貨幣回収方法を示している。この回収パターンの場合、回収方法設定部６は、自国通貨に対しては、回収部８に貨幣を回収する貨幣回収方法を設定し、他国通貨に対しては、回収部８に貨幣を回収する第１の貨幣回収方法、または、投出部９に貨幣を回収する第２の貨幣回収方法を設定する。第１の貨幣回収方法または第２の貨幣回収方法の設定については、回収方法設定部６は、回収処理を行う際に、操作者の選択に従って設定する。
【００８４】
以上、貨幣の種別が通貨（自国通貨および他国通貨）の場合における回収について説明したが、貨幣の種別が、通貨の種類以外の種別、例えば、金種、真偽、新旧、正損、ユーロカテゴリ等の場合であっても同様にして種別ごとに回収方法を設定し、回収処理を行うことが可能である。
【００８５】
＜収納部ごとの貨幣回収方法の設定＞
上記の説明では、回収方法設定部６は貨幣の種別ごとに貨幣回収方法を設定したが、回収方法設定部６は収納部５ａ〜５ｅごとに貨幣回収方法を設定してもよい。図１５は、収納部５ａ〜５ｅの設定状況の一覧を示す画面の一例である。カセット番号０１〜０５が収納部５ａ〜５ｅにそれぞれ対応している。一番右のカラムには回収先が表示されている。ここで、「パウチ」は回収部８に相当し、「出金口」は投出部９に相当する。
【００８６】
図１５の画面右上の編集ボタンをクリックすると、図１６に示すように、図１５の画面で選択されていた収納部（ここでは収納部５ａ）の設定画面が表示される。この設定画面により、操作者は当該収納部に収納された貨幣の回収先を設定する。なお、複数の収納部間で同じ回収先が設定された場合、操作者に回収区分を選択させる画面を表示してもよい。この場合、回収区分の選択肢は、交換回収、混合回収および選択回収のうち少なくともいずれか２つである。
【００８７】
図１６の通貨の欄には、複数の通貨を設定することも可能である。これにより、一つの収納部に複数通貨の貨幣を収納することができる。例えば、収納部５ａ〜５ｃをユーロ紙幣に割り当て、収納部５ｄをカナダドルに割り当て、収納部５ｅを英ポンド、米ドルおよび日本円に割り当てるようなことが可能である。
【００８８】
また、収納部ごとに回収先を設定するため、例えば収納部５ｄに収納されたカナダドルだけを投出部９に回収することができる。
【００８９】
また、図１６に示すように、操作者は、収納部のタイプとして、「リサイクル」、「オーバーフロー」、「外国通貨」をそれぞれ設定する。例えば、オーバーフローのラジオボタンを選択することで、収納部をオーバーフロー用途に使用することが可能である。
【００９０】
なお、回収方法設定部６で設定された貨幣回収方法は、筐体１内の貨幣を回収するための回収処理にのみ適用されるものであって、顧客に装置内の貨幣を渡すための出金処理には適用されるものではない。
【００９１】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００９２】
１  筐体
２  受入部
２ａ  紙幣繰出ユニット
３  搬送部
４  識別部
５ａ，５ｂ，５ｃ，５ｄ，５ｅ  収納部
６  回収方法設定部
７  制御部
８  回収部
８ａ  取付け部
８ｂ  収納袋
９  投出部
１０  入力部
１１  通信部
１２  記憶部
１３  解釈部
３１  機外リジェクト部
３２  機内リジェクト部
３３  回収集積部
１００  貨幣処理装置
Ｂ１，Ｂ２，Ｂ３  ボタン
【図１】
2016149004.tif 000003
【図２】
2016149004.tif 000004
【図３】
2016149004.tif 000005
【図４】
2016149004.tif 000006
【図５】
2016149004.tif 000007
【図６】
2016149004.tif 000008
【図７】
2016149004.tif 000009
【図８】
2016149004.tif 000010
【図９】
2016149004.tif 000011
【図１０】
2016149004.tif 000012
【図１１】
2016149004.tif 000013
【図１２】
2016149004.tif 000014
【図１３】
2016149004.tif 000015
【図１４】
2016149004.tif 000016
【図１５】
2016149004.tif 000017
【図１６】
2016149004.tif 000018